(57)【要約】【課題】コンテンツに関する情報を一段と多くユーザに提供し得る。【解決手段】テレビジョン受像機１１が、任意の楽曲の楽曲データに対応付けられている楽曲対応情報を取得し、ＥＰＧデータの番組情報及びインターネット１５上の情報から当該楽曲対応情報を検索条件として検索させた当該楽曲に関する情報を楽曲関連情報として取得し、当該楽曲対応情報と当該楽曲関連情報とを楽曲情報表示画面４０として表示させるようにしたことにより、当該楽曲データに対応付けられている当該楽曲に関する楽曲対応情報と共に当該楽曲データに対応付けられてはいない当該楽曲に関する楽曲関連情報も取得して表示させることができ、かくして当該楽曲に関する情報を一段と多くユーザに提供することができる。【選択図】図４
2010113593.tif 000002
【特許請求の範囲】
【請求項１】
コンテンツのデータであるコンテンツデータに対応付けられている当該コンテンツに関するコンテンツ対応情報を取得するコンテンツ対応情報取得部と、
所定の検索部に、上記コンテンツデータに対応付けられてはいない情報から上記コンテンツ対応情報取得部により取得されたコンテンツ対応情報を検索条件として上記コンテンツに関する情報を検索させ、当該検索の結果得られた情報をコンテンツ関連情報として当該検索部から取得するコンテンツ関連情報取得部と、
上記コンテンツ対応情報取得部により取得されたコンテンツ対応情報と、上記コンテンツ関連情報取得部により取得されたコンテンツ関連情報とを共に表示部に表示させる表示制御部と
を具える情報処理装置。
【請求項２】
上記コンテンツ関連情報取得部は、
上記検索部としてのインターネット上のサーバに、上記コンテンツ対応情報取得部により取得されたコンテンツ対応情報を送信し、当該サーバに、上記コンテンツデータに対応付けられてはいないインターネット上の情報から当該コンテンツ対応情報を検索条件として上記コンテンツに関する情報を検索させ、当該検索の結果得られた情報をコンテンツ関連情報として当該サーバから取得する
請求項１に記載の情報処理装置。
【請求項３】
上記コンテンツは楽曲であり、上記コンテンツデータは楽曲データである
請求項２に記載の情報処理装置。
【請求項４】
上記コンテンツ関連情報取得部は、
上記サーバに、上記コンテンツ対応情報取得部により取得されたコンテンツ対応情報を送信し、当該サーバに、インターネット上の情報から当該コンテンツ対応情報を検索条件として上記楽曲のアーティストのプロフィールに関するプロフィール情報を当該楽曲に関する情報として検索させ、当該検索の結果得られた情報をコンテンツ関連情報として当該サーバから取得する
請求項３に記載の情報処理装置。
【請求項５】
上記コンテンツ関連情報取得部は、
上記サーバに、上記コンテンツ対応情報取得部により取得されたコンテンツ対応情報を送信し、当該サーバに、インターネット上の情報から当該コンテンツ対応情報を検索条件として上記楽曲のアーティストに関する画像情報を当該楽曲に関する情報として検索させ、当該検索の結果得られた情報をコンテンツ関連情報として当該サーバから取得する
請求項３に記載の情報処理装置。
【請求項６】
上記コンテンツ関連情報取得部は、
上記サーバに、上記コンテンツ対応情報取得部により取得されたコンテンツ対応情報を送信し、当該サーバに、インターネット上の情報から当該コンテンツ対応情報を検索条件として上記楽曲の歌詞を示す歌詞情報を当該楽曲に関する情報として検索させ、当該検索の結果得られた情報をコンテンツ関連情報として当該サーバから取得する
請求項３に記載の情報処理装置。
【請求項７】
上記コンテンツ関連情報取得部は、
上記サーバに、上記コンテンツ対応情報取得部により取得されたコンテンツ対応情報を送信し、当該サーバに、インターネット上の情報から当該コンテンツ対応情報を検索条件としてユーザに対して推薦する推薦楽曲に関する推薦楽曲情報を上記楽曲に関する情報として検索させ、当該検索の結果得られた情報をコンテンツ関連情報として当該サーバから取得する
請求項３に記載の情報処理装置。
【請求項８】
放送信号または外部のサーバから番組情報を取得する番組情報取得部と、
上記検索部としての番組情報検索部と
を具え、
上記コンテンツ関連情報取得部は、
上記番組情報検索部に、上記コンテンツデータに対応付けられてはいない上記番組情報取得部により取得された番組情報から上記コンテンツ対応情報取得部により取得されたコンテンツ対応情報を検索条件として上記楽曲のアーティストに関連する番組情報を当該楽曲に関する情報として検索させ、当該検索の結果得られた情報をコンテンツ関連情報として当該番組情報検索部から取得する
請求項２に記載の情報処理装置。
【請求項９】
上記コンテンツデータを再生する再生部
を具え、
上記表示制御部は、
上記再生部が上記コンテンツデータを再生する際に、上記コンテンツ対応情報取得部により取得されたコンテンツ対応情報と、上記コンテンツ関連情報取得部により取得されたコンテンツ関連情報とを共に表示部に表示させる
請求項１に記載の情報処理装置。
【請求項１０】
コンテンツのデータであるコンテンツデータに対応付けられている当該コンテンツに関するコンテンツ対応情報をコンテンツ対応情報取得部が取得し、
所定の検索部に、上記コンテンツデータに対応付けられてはいない情報から上記コンテンツ対応情報取得部が取得したコンテンツ対応情報を検索条件として上記コンテンツに関する情報を検索させ、当該検索の結果得られた情報をコンテンツ関連情報として当該検索部からコンテンツ関連情報取得部が取得し、
上記コンテンツ対応情報取得部が取得したコンテンツ対応情報と、上記コンテンツ関連情報取得部が取得したコンテンツ関連情報とを共に表示制御部が表示部に表示させる
情報処理方法。
【請求項１１】
コンピュータに、
コンテンツのデータであるコンテンツデータに対応付けられている当該コンテンツに関するコンテンツ対応情報をコンテンツ対応情報取得部が取得するステップと、
所定の検索部に、上記コンテンツデータに対応付けられてはいない情報から上記コンテンツ対応情報取得部が取得したコンテンツ対応情報を検索条件として上記コンテンツに関する情報を検索させ、当該検索の結果得られた情報をコンテンツ関連情報として当該検索部からコンテンツ関連情報取得部が取得するステップと、
上記コンテンツ対応情報取得部が取得したコンテンツ対応情報と、上記コンテンツ関連情報取得部が取得したコンテンツ関連情報とを共に表示制御部が表示部に表示させるステップと
を実行させるための情報処理プログラム。
【発明の詳細な説明】
【技術分野】
【０００１】
本発明は、情報処理装置、情報処理方法及び情報処理プログラムに関し、例えば、再生する楽曲に関する情報を取得して表示する際に適用して好適なものである。
【背景技術】
【０００２】
近年、楽曲のデータである楽曲データには、例えば、その楽曲のジャケット写真、曲名、アーティスト名、アルバム名といった楽曲に関する情報が対応付けられるようになっている（このような情報を楽曲対応情報とも呼ぶ）。そして、楽曲データを再生する際に、楽曲対応情報を取得して画面に表示させるような楽曲再生装置が提案されている（例えば、特許文献１参照）。
【０００３】
また、このような楽曲再生装置として、例えば、パーソナルコンピュータやテレビジョン受像機がある。図１に、このようなテレビジョン受像機が楽曲データを再生する際に、当該テレビジョン受像機の画面に表示させる楽曲情報表示画面１の例を示す。
【０００４】
この楽曲情報表示画面１には、中央にジャケット写真表示領域２が設けられ、楽曲データに対応付けられているジャケット写真の画像が表示される。また、その下方に、曲名表示領域３、アーティスト名表示領域４、アルバム名表示領域５が設けられており、それぞれ、楽曲データに対応付けられている曲名、アーティスト名、アルバム名が表示される。さらに、曲名表示領域３の左側に経過時間表示領域６が設けられ、現在、楽曲データのどの位置が再生されているのかを示す経過時間が表示されるようになされている。
【０００５】
このように、上述したテレビジョン受像機は、楽曲データを再生する際に、当該楽曲データに対応付けられている楽曲対応情報（ジャケット写真、曲名、アーティスト名、アルバム名）を取得して表示させるようになされている。
【特許文献１】特開２００７−５９００９公報
【発明の開示】
【発明が解決しようとする課題】
【０００６】
ところで、上述したように、楽曲データには、ジャケット写真、曲名、アーティスト名、アルバム名などといった楽曲対応情報が対応付けられているだけである。
【０００７】
したがって、上述した装置では、そのような楽曲対応情報を取得して表示することしかできなかった。
【０００８】
そこで、楽曲データに対応付けられている楽曲対応情報以外の楽曲に関する情報も取得して表示させることができれば、楽曲に関する情報を一段と多くユーザに提供し得ると考えられる。
【０００９】
本発明は以上の点を考慮してなされたもので、コンテンツに関する情報を一段と多くユーザに提供し得る情報処理装置、情報処理方法及び情報処理プログラムを提案しようとするものである。
【課題を解決するための手段】
【００１０】
かかる課題を解決するため本発明においては、コンテンツのデータであるコンテンツデータに対応付けられている当該コンテンツに関するコンテンツ対応情報を取得するコンテンツ対応情報取得部と、所定の検索部に、当該コンテンツデータに対応付けられてはいない情報からコンテンツ対応情報取得部により取得されたコンテンツ対応情報を検索条件として当該コンテンツに関する情報を検索させ、当該検索の結果得られた情報をコンテンツ関連情報として検索部から取得するコンテンツ関連情報取得部と、コンテンツ対応情報取得部により取得されたコンテンツ対応情報とコンテンツ関連情報取得部により取得されたコンテンツ関連情報とを共に表示部に表示させる表示制御部とを設けるようにした。
【００１１】
こうすることにより、本発明の情報処理装置は、コンテンツのデータに対応付けられている当該コンテンツに関する情報と共に、当該コンテンツのデータに対応付けられてはいない当該コンテンツに関する情報も取得して表示させることができる。
【発明の効果】
【００１２】
本発明によれば、コンテンツのデータに対応付けられている当該コンテンツに関する情報と共に、当該コンテンツのデータに対応付けられてはいない当該コンテンツに関する情報も取得して表示させることができ、かくして、当該コンテンツに関する情報を一段と多くユーザに提供し得る情報処理装置、情報処理方法及び情報処理プログラムを実現することができる。
【発明を実施するための最良の形態】
【００１３】
以下、図面について、本発明の実施の形態を詳述する。なお、説明は以下の順序で行う。
１．実施の形態
２．他の実施の形態
【００１４】
＜１．実施の形態＞
［１−１．楽曲再生システムの構成］
図２を用いて、楽曲再生システム１０の構成について説明する。この楽曲再生システム１０は、テレビジョン受像機１１を有している。このテレビジョン受像機１１は、テレビジョン放送を受信して再生する機能だけでなく、楽曲データを取得して再生する機能も有している。
【００１５】
テレビジョン受像機１１は、例えばＬＡＮ（Local Area Network）を介して、ＤＬＮＡ（Digital Living Network Alliance）サーバ１２と接続される。ＤＬＮＡサーバ１２は、ＤＬＮＡの仕様に準拠したサーバであり、住居内に設置され、楽曲データを蓄積する。そして、テレビジョン受像機１１は、このＤＬＮＡサーバ１２から楽曲データを取得し、その楽曲データを再生するようになされている。
【００１６】
また、テレビジョン受像機１１は、メモリカード１３のスロット（図示せず）を有しており、このスロットに挿入されたメモリカード１３と接続される。ここで、このメモリカード１３には楽曲データが記憶されている。そして、テレビジョン受像機１１は、このメモリカード１３から楽曲データを取得し、その楽曲データを再生するようにもなされている。
【００１７】
さらに、テレビジョン受像機１１は、各種メモリカードのスロット（図示せず）を有するマルチカードリーダ１４と接続される。そして、テレビジョン受像機１１は、このマルチカードリーダ１４のスロットに挿入されたメモリカードから、マルチカードリーダ１４を介して楽曲データを取得し、その楽曲データを再生するようにもなされている。
【００１８】
さらに、テレビジョン受像機１１は、インターネット１５と接続される。そして、テレビジョン受像機１１は、インターネット１５上の楽曲提供サーバ（図示せず）から楽曲データを取得し、その楽曲データを再生するようにもなされている。
【００１９】
このように、楽曲再生システム１０では、テレビジョン受像機１１が、ＤＬＮＡサーバ１２、メモリカード１３、マルチカードリーダ１４、インターネット１５上の楽曲提供サーバのいずれかから楽曲データを取得し、その楽曲データを再生するようになされている。
【００２０】
また、楽曲再生システム１０では、テレビジョン受像機１１が、インターネット１５上の百科事典提供サーバ１６、画像検索サーバ１７、歌詞提供サーバ１８、楽曲販売サーバ１９から再生している楽曲に関する情報を取得して表示するようにもなされている。尚、テレビジョン受像機１１がこれらのサーバから楽曲に関する情報を取得して表示する方法については、後述する。
【００２１】
［１−２．テレビジョン受像機の内部構成］
次に、楽曲再生システム１０におけるテレビジョン受像機１１の内部構成について図３を用いて説明する。このテレビジョン受像機１１は、デジタル放送の受信再生機能及び録画機能を有している。
【００２２】
具体的に、このテレビジョン受像機１１では、ＣＰＵ（Central Processing Unit）２０が、バス２１を介して接続されたメモリ２２又はＨＤＤ（ハードディスクドライブ）２３に記憶されているプログラムに従って、各種処理を実行する。またこのＣＰＵ２０は、受光部２４を介してリモートコントローラ（以下、リモコンとも呼ぶ）ＲＭより入力される赤外線信号（つまりリモコンＲＭの操作に応じた信号）をコマンドとして受け取る。そして、ＣＰＵ２０は、このコマンドに応じて各部の動作を制御するようになされている。
【００２３】
テレビジョン受像機１１のＣＰＵ２０は、アンテナ２５を介して受信したデジタル放送信号をチューナ２６に入力する。チューナ２６は、ＣＰＵ２０の制御のもと、デジタル放送信号から所定のチャンネル（例えばリモコンＲＭを介して指定されたチャンネル）の放送信号を抽出する。そしてチューナ２６は、この抽出した放送信号に対して復調処理を施して得た所定のチャンネルのトランスポートストリームをデスクランブラ２７に出力する。
【００２４】
デスクランブラ２７は、ＣＰＵ２０の制御のもと、テレビジョン受像機１１に装着された所定のＩＣカード（図示せず）にあらかじめ記憶されている解除キーを用いて、チューナ２６から入力されたトランスポートストリームのスクランブルを解除する。そして、デスクランブラ２７は、このスクランブル解除済のトランスポートストリームをデマルチプレクサ２８に出力する。
【００２５】
デマルチプレクサ２８は、ＣＰＵ２０の制御のもと、デスクランブラ２７から入力されたスクランブル解除済のトランスポートストリームからオーディオデータとビデオデータとを分離する。そして、デマルチプレクサ２８は、分離したオーディオデータをＡｕｄｉｏデコーダ２９に出力し、分離したビデオデータをＶｉｄｅｏデコーダ３０に出力する。
【００２６】
Ａｕｄｉｏデコーダ２９は、ＣＰＵ２０の制御のもと、デマルチプレクサ２８から入力されたオーディオデータをデコードし、得られた音声データを、音声処理回路３１に出力する。
【００２７】
音声処理回路３１は、Ａｕｄｉｏデコーダ２９から入力された音声データに対してＤ／Ａ（Digital/Analog）変換、増幅処理などを施し、得られた音声信号をスピーカ３２に出力する。この結果、スピーカ３２から、この音声信号に基づく音声、すなわち番組の音声が出力される。
【００２８】
一方、Ｖｉｄｅｏデコーダ３０は、ＣＰＵ２０の制御のもと、デマルチプレクサ２８から入力されたビデオデータをデコードし、得られた映像データを、ＧＵＩ（Graphical User Interface）重畳器３３に出力する。
【００２９】
ＧＵＩ重畳器３３は、Ｖｉｄｅｏデコーダ３０から入力された映像データに対して、ＯＳＤ（On Screen Display）などのグラフィックデータを重畳して、映像処理回路３４に出力する。
【００３０】
映像処理回路３４は、ＧＵＩ重畳器３３から入力された映像データに対して、所定の画像処理、Ｄ／Ａ（Digital/Analog）変換などを施し、得られた映像信号をディスプレイ３５に出力する。この結果、ディスプレイ３５にこの映像信号に基づく映像、すなわち番組の映像が表示される。
【００３１】
このようにして、テレビジョン受像機１１は、デジタル放送を受信し、その番組を再生するようになされている。
【００３２】
また、ＣＰＵ２０は、リモコンＲＭの操作に応じて、上述したと同様に、デジタル放送を受信し、所定のチャンネルのトランスポートストリームを得て、これを番組の映像音声データとして、ＨＤＤ２３に記憶する。
【００３３】
このようにして、テレビジョン受像機１１は、デジタル放送を受信して、その番組を録画するようにもなされている。
【００３４】
また、このテレビジョン受像機１１は、電子番組ガイド情報であるＥＰＧ（Electric Program Guide）情報の取得機能を有している。以下、このＥＰＧ情報取得機能について説明する。
【００３５】
ＣＰＵ２０は、上述したと同様に、デジタル放送を受信して得られたトランスポートスクリームのスクランブルを解除して、これをデマルチプレクサ２８に出力する。デマルチプレクサ２８は、ＣＰＵ２０の制御のもと、このスクランブル解除済のトランスポートストリームからオーディオデータ及びビデオデータを分離すると共に、ＥＰＧデータを分離する。そして、デマルチプレクサ２８は、分離したＥＰＧデータをメモリ２２又はＨＤＤ２３に記憶する。
【００３６】
その後、ＣＰＵ２０は、リモコンＲＭの操作を介して、電子番組表の表示が指示されたことを認識すると、メモリ２２又はＨＤＤ２３に記憶されているＥＰＧデータをもとに電子番組表データを生成し、ＧＵＩ重畳器３３に出力する。ＧＵＩ重畳器３３は、ＣＰＵ２０の制御のもと、入力された電子番組表データをもとに、電子番組表画面データを生成し、映像処理回路３４に出力する。映像処理回路３４は、ＧＵＩ重畳器３３から入力された電子番組表画面データに対して所定の処理を施し、これをディスプレイ３５に出力する。この結果、ディスプレイ３５に電子番組表画面が表示される。
【００３７】
このように、テレビジョン受像機１１は、リモコンＲＭの操作に応じて、デジタル放送信号から取得したＥＰＧ情報に基づく電子番組表を表示させるようになされている。
【００３８】
さらに、このテレビジョン受像機１１は、楽曲データを取得し再生する楽曲再生機能を有している。以下、楽曲再生機能について説明する。
【００３９】
ＣＰＵ２０は、ネットワークＩ／Ｆ（インターフェース）３６を介して接続されたＤＬＮＡサーバ１２から楽曲データを取得して、これをＡｕｄｉｏデコーダ２９に出力する。
【００４０】
そして、Ａｕｄｉｏデコーダ２９は、ＣＰＵ２０の制御のもと、ネットワークＩ／Ｆ３６から入力された楽曲データをデコードし、得られた音声データを音声処理回路３１に出力する。音声処理回路３１は、Ａｕｄｉｏデコーダ２９から入力された音声データに対してＤ／Ａ（Digital/Analog）変換、増幅処理などを施し、得られた音声信号をスピーカ３２に出力する。この結果、スピーカ３２から、この音声信号に基づく音声、すなわち楽曲の音声が出力される。
【００４１】
また、ＣＰＵ２０は、メモリカードＩ／Ｆ３７を介して接続されたメモリカード１３から楽曲データを取得して、これをＡｕｄｉｏデコーダ２９に出力する。
【００４２】
そして、Ａｕｄｉｏデコーダ２９は、ＣＰＵ２０の制御のもと、メモリカードＩ／Ｆ３７から入力された楽曲データをデコードし、得られた音声データを音声処理回路３１に出力する。音声処理回路３１は、Ａｕｄｉｏデコーダ２９から入力された音声データに対してＤ／Ａ（Digital/Analog）変換、増幅処理などを施し、得られた音声信号をスピーカ３２に出力する。この結果、スピーカ３２から、この音声信号に基づく音声、すなわち楽曲の音声が出力される。
【００４３】
さらに、ＣＰＵ２０は、ＵＳＢ（Universal Serial Bus）Ｉ／Ｆ３８を介して接続されたマルチカードリーダ１４に挿入されたメモリカードから楽曲データを取得して、Ａｕｄｉｏデコーダ２９に出力する。
【００４４】
そして、Ａｕｄｉｏデコーダ２９は、ＣＰＵ２０の制御のもと、ＵＳＢＩ／Ｆ３８から入力された楽曲データをデコードし、得られた音声データを音声処理回路３１に出力する。音声処理回路３１は、Ａｕｄｉｏデコーダ２９から入力された音声データに対してＤ／Ａ（Digital/Analog）変換、増幅処理などを施し、得られた音声信号をスピーカ３２に出力する。この結果、スピーカ３２から、この音声信号に基づく音声、すなわち楽曲の音声が出力される。
【００４５】
さらに、ＣＰＵ２０は、ネットワークＩ／Ｆ３６を介して接続されたインターネット１５上の楽曲提供サーバから楽曲データを取得して、これをＨＤＤ２３に記憶する。
【００４６】
そして、ＣＰＵ２０は、インターネット１５上の楽曲提供サーバより取得した楽曲データをＨＤＤ２３から読み出し、これをＡｕｄｉｏデコーダ２９に出力する。Ａｕｄｉｏデコーダ２９は、ＣＰＵ２０の制御のもと、ＨＤＤ２３から入力された楽曲データをデコードし、得られた音声データを音声処理回路３１に出力する。音声処理回路３１は、Ａｕｄｉｏデコーダ２９から入力された音声データに対してＤ／Ａ（Digital/Analog）変換、増幅処理などを施し、得られた音声信号をスピーカ３２に出力する。この結果、スピーカ３２から、この音声信号に基づく音声、すなわち楽曲の音声が出力される。
【００４７】
このようにして、テレビジョン受像機１１は、リモコンＲＭの操作に応じて、ＤＬＮＡサーバ１２、メモリカード１３、マルチカードリーダ１４、インターネット１５上の楽曲提供サーバのいずれかから楽曲データを取得し、再生するようになされている。
【００４８】
［１−３．楽曲に関する情報の表示］
さらに、このテレビジョン受像機１１は、ユーザにより、リモコンＲＭの操作を介して任意の楽曲の再生が指示されると、当該楽曲の楽曲データの再生と共に、当該楽曲に関する情報を取得してディスプレイ３５に表示させる機能を有している。以下、この楽曲に関する情報の表示機能について説明する。
【００４９】
ＣＰＵ２０は、リモコンＲＭの操作を介して任意の楽曲の再生が指示されると、ＤＬＮＡサーバ１２、メモリカード１３、マルチカードリーダ１４、インターネット１５上の楽曲提供サーバのいずれかから当該楽曲の楽曲データを取得する。
【００５０】
ここで、当該楽曲データは、例えば、ＭＰ３（MPEG1 Audio Layer-3）形式の楽曲データであるとする。ＭＰ３形式の楽曲データには、楽曲に関する情報を記憶する領域であるＩＤ３タグが付加されている。ＩＤ３タグには、例えば、曲名、アーティスト名、アルバム名、ジャンル、発売年、コメント、トラック番号、ジャケット写真の画像などが記憶される。ＩＤ３タグに記憶されている情報は楽曲データに対応付けられている楽曲対応情報と言えるため、以下、ＩＤ３タグに記憶されている情報も楽曲対応情報とも呼ぶ。また、ＩＤ３タグに記憶されている情報は、パーソナルコンピュータなどを用いて入力や編集が行われることもあるが、ここではあらかじめＩＤ３タグに、楽曲対応情報として、曲名、アーティスト名、アルバム名、ジャケット写真の画像が記憶されているとする。
【００５１】
そして、ＣＰＵ２０は、取得した当該楽曲データの再生を開始すると共に、当該楽曲データに付加されているＩＤ３タグから楽曲対応情報を取得して、この楽曲対応情報をメモリ２２に一時的に記憶する。
【００５２】
そして、ＣＰＵ２０は、楽曲対応情報としてのアーティスト名をメモリ２２から読み出す。また、ＣＰＵ２０は、あらかじめデジタル放送信号から取得したＥＰＧデータをメモリ２２又はＨＤＤ２３から読み出す。ＥＰＧデータには、例えば、放送予定の番組ごとに、番組情報として、放送局名、チャンネル番号、放送日時、番組名、ジャンル、番組概要、番組詳細、出演者、映像情報、音声情報などが記憶されている。
【００５３】
ＣＰＵ２０は、読み出したＥＰＧデータの番組情報から当該アーティスト名を検索条件としてそのアーティストに関連する番組の番組情報を検索する。ＣＰＵ２０は、検索の結果、例えば、そのアーティストが出演する番組やそのアーティストの楽曲が流れる番組などの番組情報を得る。そして、ＣＰＵ２０は、検索の結果得られた番組情報を楽曲に関する楽曲関連情報として取得し、この番組情報をメモリ２２に一時的に記憶する。ここで、楽曲関連情報とは、楽曲データに対応付けられてはいないが楽曲に関する情報を示す。
【００５４】
また、ＣＰＵ２０は、楽曲対応情報としてのアーティスト名をメモリ２２から読み出す。そして、ＣＰＵ２０は、このアーティスト名を、ネットワークＩ／Ｆ３６を介して、インターネット１５上に所定のオンライン参加型の百科事典サイトを開設している百科事典提供サーバ１６に送信する。
【００５５】
この百科事典サイトには、百科事典として、あらゆるキーワードに関する文字情報が掲載されている。百科事典提供サーバ１６は、接続先からインターネット１５を介して受信したキーワードを検索条件として、百科事典サイトに掲載されている文字情報を検索し、検索の結果得られた文字情報を当該接続先にインターネット１５を介して送信するようになされている。
【００５６】
したがって、このとき百科事典提供サーバ１６は、テレビジョン受像機１１から受信したアーティスト名を検索条件として、百科事典サイトに掲載されている文字情報を検索する。そして、百科事典提供サーバ１６は、検索の結果得られた当該アーティスト名に関する文字情報、例えば、そのアーティストのプロフィールに関する文字情報（これをプロフィール情報とも呼ぶ）を、インターネット１５を介してテレビジョン受像機１１に送信する。
【００５７】
ＣＰＵ２０は、ネットワークＩ／Ｆ３６を介して、百科事典提供サーバ１６から送信されたプロフィール情報を楽曲関連情報として取得し、このプロフィール情報をメモリ２２に一時的に記憶する。
【００５８】
さらに、ＣＰＵ２０は、楽曲対応情報としてのアーティスト名をメモリ２２から読み出し、このアーティスト名を、ネットワークＩ／Ｆ３６を介して、インターネット１５上に所定の画像検索サイトを開設している画像検索サーバ１７に送信する。
【００５９】
この画像検索サーバ１７は、接続先からインターネット１５を介して受信したキーワードを検索条件として、インターネット１５上の画像を検索し、検索の結果得られた画像情報を、当該接続先にインターネット１５を介して送信するようになされている。なお、画像情報とは、画像のインターネット１５上のアドレスを示す。
【００６０】
したがって、このとき画像検索サーバ１７は、テレビジョン受像機１１から受信したアーティスト名を検索条件として、インターネット１５上の画像を検索する。そして、画像検索サーバ１７は、検索の結果得られたそのアーティストに関する画像情報（これをアーティスト画像情報とも呼ぶ）を、インターネット１５を介して、テレビジョン受像機１１に送信する。
【００６１】
ＣＰＵ２０は、ネットワークＩ／Ｆ３６を介して、画像検索サーバ１７から送信されたアーティスト画像情報を楽曲関連情報として取得し、このアーティスト画像情報をメモリ２２に一時的に記憶する。
【００６２】
さらに、ＣＰＵ２０は、楽曲対応情報としてのアーティスト名及び曲名をメモリ２２から読み出す。そして、ＣＰＵ２０は、当該アーティスト名及び曲名を、ネットワークＩ／Ｆ３６を介して、インターネット１５上に所定の歌詞提供サイトを開設している歌詞提供サーバ１８に送信する。
【００６３】
この歌詞提供サイトには、あらゆる楽曲の歌詞を示す文字情報（これを歌詞情報とも呼ぶ）が掲載されている。歌詞提供サーバ１８は、接続先からインターネット１５を介して受信したアーティスト名及び曲名を検索条件として、歌詞提供サイトに掲載されている歌詞情報を検索する。すなわち、歌詞提供サーバ１８は、当該アーティスト名及び曲名により特定される楽曲の歌詞情報を検索する。そして、歌詞提供サーバ１８は、検索の結果得られた歌詞情報を当該接続先にインターネット１５を介して送信するようになされている。
【００６４】
したがって、このとき歌詞提供サーバ１８は、テレビジョン受像機１１から受信したアーティスト名及び曲名を検索条件として、歌詞提供サイトに掲載されている歌詞情報を検索する。そして、歌詞提供サーバ１８は、検索の結果得られた歌詞情報を、インターネット１５を介してテレビジョン受像機１１に送信する。
【００６５】
ＣＰＵ２０は、ネットワークＩ／Ｆ３６を介して、歌詞提供サーバ１８から送信された歌詞情報を楽曲関連情報として取得し、この歌詞情報をメモリ２２に一時的に記憶する。
【００６６】
さらに、ＣＰＵ２０は、楽曲対応情報としてのアーティスト名及び曲名をメモリ２２から読み出す。そして、ＣＰＵ２０は、当該アーティスト名及び曲名を、ネットワークＩ／Ｆ３６を介して、インターネット１５上に所定の楽曲販売サイトを開設している楽曲販売サーバ１９に送信する。
【００６７】
この楽曲販売サイトでは、楽曲を購入した、もしくは購入しようとしているユーザに対して、その楽曲を購入した他のユーザがその楽曲とは別に購入した楽曲を推薦楽曲として推薦するようになされている。具体的に、この楽曲販売サイトでは、楽曲の販売ページに、購入対象となる楽曲ごとに推薦楽曲のジャケット写真の画像（これを推薦楽曲画像情報とも呼ぶ）を掲載することにより、ユーザに推薦楽曲を提示する。
【００６８】
楽曲販売サーバ１９は、接続先からインターネット１５を介してアーティスト名及び曲名を受信すると、当該アーティスト名及び曲名を検索条件として、楽曲販売サイトに掲載されている推薦楽曲画像情報を検索する。すなわち、楽曲販売サーバ１９は、当該アーティスト名及び曲名により特定される楽曲の推薦楽曲画像情報を検索する。そして、楽曲販売サーバ１９は、検索の結果得られた推薦楽曲画像情報を、当該接続先にインターネット１５を介して送信するようになされている。
【００６９】
したがって、このとき楽曲販売サーバ１９は、テレビジョン受像機１１から受信したアーティスト名及び曲名を検索条件として、楽曲販売サイトに掲載されている推薦楽曲画像情報を検索する。そして、楽曲販売サーバ１９は、検索の結果得られた推薦楽曲画像情報を、テレビジョン受像機１１にインターネット１５を介して送信する。
【００７０】
ＣＰＵ２０は、楽曲販売サーバ１９から送信された推薦楽曲画像情報を楽曲関連情報として取得し、この推薦楽曲画像情報をメモリ２２に一時的に記憶する。
【００７１】
このように、ＣＰＵ２０は、ユーザにより、リモコンＲＭの操作を介して再生が指示された楽曲の楽曲データから当該楽曲データに付加された楽曲対応情報を取得する。さらに、ＣＰＵ２０は、当該楽曲対応情報を検索条件として検索させた番組情報、プロフィール情報、アーティスト画像情報、歌詞情報及び推薦楽曲画像情報を当該楽曲に関する楽曲関連情報として取得する。
【００７２】
そして、ＣＰＵ２０は、取得した楽曲対応情報及び楽曲関連情報をメモリ２２から読み出し、これをＧＵＩ重畳器３３に出力する。また、ＣＰＵ２０は、現在楽曲データのどの位置が再生されているかを示す経過時間情報をＧＵＩ重畳器３３に出力する。ＧＵＩ重畳器３３は、ＣＰＵ２０の制御のもと、入力された楽曲対応情報、楽曲関連情報及び経過時間情報をもとに、楽曲情報表示画面データを生成し、映像処理回路３４に出力する。映像処理回路３４は、ＧＵＩ重畳器３３から入力された楽曲情報表示画面データに対して所定の処理を施し、これをディスプレイ３５に出力する。この結果、ディスプレイ３５に、楽曲対応情報、楽曲関連情報及び経過時間情報に基づく楽曲情報表示画面４０が表示される。
【００７３】
図４に、このときディスプレイ３５に表示される楽曲情報表示画面４０を示す。この楽曲情報表示画面４０には、中央にジャケット写真表示領域４１が設けられ、そこには、楽曲対応情報としてジャケット写真の画像が表示される。また、その下方に、曲名表示領域４２、アーティスト名表示領域４３、アルバム名表示領域４４が設けられており、それぞれの領域に、楽曲対応情報として曲名、アーティスト名、アルバム名が表示される。さらに、曲名表示領域４２の左側に経過時間表示領域４５が設けられ、経過時間情報をもとに経過時間が表示される。
【００７４】
さらに、ジャケット写真表示領域４１の左側には、プロフィール表示領域４６が設けられ、楽曲関連情報としてのプロフィール情報に基づくプロフィール、つまり再生中の楽曲のアーティストのプロフィールが表示される。このプロフィールがプロフィール表示領域４６に表示しきれない場合は、このプロフィールを自動的にスクロールして表示させるようになされている。
【００７５】
さらに、プロフィール表示領域４６の上側には、アーティスト画像表示領域４７が設けられている。楽曲関連情報としてのアーティスト画像情報は、アーティストに関する画像のインターネット１５上のアドレス情報である。したがって、アーティスト画像表示領域４７には、ＣＰＵ２０がアーティスト画像情報を用いてネットワークＩ／Ｆ３６を介して取得した画像、つまり再生中の楽曲のアーティストに関する画像が表示される。複数の画像のアーティスト画像情報があり、アーティスト画像表示領域４７にこれらの画像が表示しきれない場合は、当該複数の画像を一定時間ごとに切り替えて表示させるようになされている。
【００７６】
さらに、アーティスト画像表示領域４７の右側には、推薦楽曲画像表示領域４８が設けられている。推薦楽曲画像表示領域４８には、楽曲関連情報としての推薦楽曲画像情報に基づくジャケット写真の画像、つまり再生中の楽曲に対する推薦楽曲のジャケット写真の画像が表示される。複数のジャケット写真の画像の推薦楽曲画像情報があり、これらの画像が推薦楽曲画像表示領域４８に表示しきれない場合は、当該複数の画像を一定時間ごとに切り替えて表示させるようになされている。
【００７７】
さらに、アーティスト画像表示領域４７の下側かつジャケット写真表示領域４１の右側に、歌詞表示領域４９が設けられ、そこには、楽曲関連情報としての歌詞情報に基づく歌詞、つまり再生中の楽曲の歌詞が表示される。この歌詞が歌詞表示領域４９に表示しきれない場合は、歌詞を自動的にスクロールして表示させるようになされている。
【００７８】
さらに、プロフィール表示領域４６の下側に番組情報表示領域５０Ａ、歌詞表示領域４９の下側に番組情報表示領域５０Ｂが設けられ、それらの領域には、楽曲関連情報としての番組情報、つまり再生中の楽曲のアーティストに関連する番組の番組情報が表示される。具体的には、番組情報表示領域５０Ａ及び番組情報表示領域５０Ｂのそれぞれには、番組情報として、放送日時、チャンネル番号、番組名、番組概要が表示される。ちなみに、番組情報表示領域５０Ａには、番組情報表示領域５０Ｂに表示される番組よりも放送日時の早い番組が表示されるようになされている。
【００７９】
また、複数の番組の番組情報があり、番組情報表示領域５０Ａ及び番組情報表示領域５０Ｂに表示しきれない場合は、これらの番組情報を一定時間ごとに切り替えて表示させるようになされている。なお、このとき表示される順番は放送日時が早い順となっている。
【００８０】
このように、テレビジョン受像機１１は、楽曲の再生と共に、取得した楽曲対応情報と楽曲関連情報とを共にディスプレイ３５に表示させる。
【００８１】
ここまで説明したように、テレビジョン受像機１１は、リモコンＲＭの操作を介して再生が指示された楽曲の楽曲データの再生と共に、当該楽曲データに付加されている楽曲対応情報と、取得した楽曲対応情報を検索条件として検索させた楽曲関連情報とを取得する。そして、テレビジョン受像機１１は、取得した楽曲対応情報と楽曲関連情報とを共にディスプレイ３５に表示させる。
【００８２】
したがって、テレビジョン受像機１１は、楽曲データに対応付けられている楽曲対応情報と共に、楽曲データには対応付けられてはいない楽曲関連情報も取得して表示させることができ、楽曲に関する情報を一段と多くユーザに提供することができる。
【００８３】
また、テレビジョン受像機１１は、楽曲対応情報と共に楽曲関連情報を自動的に取得して表示させるようにしたことにより、ユーザに煩雑な操作をさせることなく、楽曲に関する情報を提供することができる。
【００８４】
また、テレビジョン受像機１１は、楽曲データの再生中に楽曲対応情報と共に楽曲関連情報を表示させるようにしたことにより、ディスプレイ３５に表示させる情報が少ないためにユーザに物足りなさを感じさせるということなく、楽曲データの再生を行うことができる。
【００８５】
また、ＣＰＵ２０は、楽曲情報表示画面４０の表示時に、例えばリモコンＲＭの青キー（図示せず）が押下されたことを認識すると、メモリ２２又はＨＤＤ２３に記憶されているＥＰＧデータから、このとき番組情報表示領域５０Ａに表示されている番組の番組情報を読み出す。そして、ＣＰＵ２０は、ＧＵＩ重畳器３３及び映像処理回路３４を介して、その番組情報をもとに番組詳細情報表示画面６０を生成し、これをディスプレイ３５に表示させる。
【００８６】
図５にこのとき表示される番組詳細情報表示画面６０を示す。番組詳細情報表示画面６０には、このとき番組情報表示領域５０Ａに表示されていた番組の詳細情報として、番組名、チャンネル番号、放送局、放送日時、番組詳細、出演者、映像情報、音声情報などが表示される。
【００８７】
したがって、テレビジョン受像機１１は、楽曲情報表示画面４０の表示時に、リモコンＲＭの青キーを押下させるという簡易な操作をユーザに行わせるだけで、再生中の楽曲のアーティストに関連する番組の詳細情報を閲覧させることができる。
【００８８】
また、番組詳細情報表示画面６０には、視聴予約ボタン６１が設けられている。ＣＰＵ２０は、リモコンＲＭの操作を介して、カーソル（図示せず）により視聴予約ボタン６１が選択され、リモコンＲＭの決定キー（図示せず）が押下されると、番組詳細情報表示画面６０に表示されている番組の視聴予約を行う。視聴予約とは、指定された番組の放送日時になると、テレビジョン受像機１１が自動的にその番組のチャンネルに切り替えるという機能である。
【００８９】
このとき、ＣＰＵ２０は、番組詳細情報表示画面６０に表示されている番組の番組情報をメモリ２３又はＨＤＤ２４に構築された視聴予約データベースに登録する。そして、ＣＰＵ２０は、テレビジョン受像機１１に内蔵された内蔵時計（図示せず）より得られる現在日時が、視聴予約データベースに登録した番組の放送日時になった時点で、その番組のチャンネルに切り替えることで、ユーザにその番組の視聴を開始させる。
【００９０】
このように、テレビジョン受像機１１は、番組詳細情報表示画面６０において、リモコンＲＭを介して視聴予約ボタン６１を選択決定させるという操作をユーザに行わせるだけで、番組詳細情報表示画面６０に表示されている番組の視聴予約を行うことができる。したがって、テレビジョン受像機１１は、番組詳細情報表示画面６０の表示時に、ユーザに簡易な操作を行わせるだけで、再生中の楽曲のアーティストに関連する番組の視聴予約を行うことができる。
【００９１】
さらに、番組詳細情報表示画面６０には、録画予約ボタン６２が設けられている。ＣＰＵ２０は、リモコンＲＭの操作を介して、カーソルにより録画予約ボタン６２が選択され、リモコンＲＭの決定キーが押下されると、番組詳細情報表示画面６０に表示されている番組の録画予約を行う。録画予約とは、指定された番組の放送日時になると、テレビジョン受像機１１が自動的にその番組の録画を行うという機能である。
【００９２】
このとき、ＣＰＵ２０は、番組詳細情報表示画面６０に表示されている番組の番組情報をメモリ２３又はＨＤＤ２４に構築された録画予約データベースに登録する。そして、ＣＰＵ２０は、内蔵時計より得られる現在日時が、録画予約データベースに登録した番組の放送日時になった時点で、その番組の放送を受信してその番組の録画を開始する。そして、ＣＰＵ２０は、録画予約データベースに登録した番組の放送が終了になった時点で、その番組の録画を自動的に終了する。
【００９３】
このように、テレビジョン受像機１１は、番組詳細情報表示画面６０において、リモコンＲＭを介して録画予約ボタン６２を選択決定させるという操作をユーザに行わせるだけで、番組詳細情報表示画面６０に表示されている番組の録画予約を行うことができる。したがって、テレビジョン受像機１１は、番組詳細情報表示画面６０の表示時に、ユーザに簡易な操作を行わせるだけで、再生中の楽曲のアーティストに関する番組の録画予約を行うことができる。
【００９４】
さらに、このときＣＰＵ２０は、例えばリモコンＲＭの赤キー（図示せず）が押下されたことを認識すると、メモリ２２又はＨＤＤ２３に記憶されているＥＰＧデータから、次の番組の番組情報を読み出す。この場合、次の番組の番組情報とは、番組情報表示領域５０Ｂに表示されていた番組の番組情報である。そして、ＣＰＵ２０は、この番組情報をもとに番組詳細情報表示画面６０に表示させる内容を次の番組の詳細情報に切り替えることで、ユーザに次の番組の詳細情報を閲覧させることができる。
【００９５】
そして、ＣＰＵ２０は、リモコンＲＭの赤キーが押下される毎に、番組詳細情報表示画面６０に表示させる内容を次の番組の詳細情報に切り替えるようになされている。
【００９６】
さらに、ＣＰＵ２０は、楽曲情報表示画面４０の表示時に、例えばリモコンＲＭのオプションキー（図示せず）が押下されたことを認識すると、メモリ２２又はＨＤＤ２３に記憶されているオプション画面データを読み出す。そして、ＣＰＵ２０は、ＧＵＩ重畳器３３及び映像処理回路３４を介して、そのオプション画面データをもとにオプション画面７０を生成し、これを楽曲情報表示画面４０に重ねてディスプレイ３５に表示させる。
【００９７】
図６にこのとき表示される楽曲情報表示画面４０及びオプション画面７０を示す。オプション画面７０は、楽曲情報表示画面４０の右側に重ねられるように表示される。オプション画面７０には、番組おすすめキーワード登録メニュー７１が設けられている。
【００９８】
番組おすすめキーワード登録とは、テレビジョン受像機１１が、ユーザにより登録されたキーワードに関連する番組を、おすすめの番組として、ユーザに対して自動的に通知する機能である。
【００９９】
ＣＰＵ２０は、リモコンＲＭの操作を介して、カーソルにより番組おすすめキーワード登録メニュー７１が選択され、リモコンＲＭの決定キーが押下されたことを認識すると、現在、アーティスト名表示領域４３に表示されているアーティスト名を取得する。
【０１００】
そして、ＣＰＵ２０は、取得したアーティスト名を番組おすすめキーワードとしてメモリ２２又はＨＤＤ２３に構築された番組おすすめキーワードデータベースに登録する。そして、ＣＰＵ２０は、メモリ２２又はＨＤＤ２３に記憶されている番組おすすめキーワード登録完了画面データを読み出す。そして、ＣＰＵ２０は、ＧＵＩ重畳器３３及び映像処理回路３４を介して、取得したアーティスト名とその番組おすすめキーワード登録完了画面データとをもとに図７に示す番組おすすめキーワード登録完了画面８０を生成し、これをディスプレイ３５に表示させる。
【０１０１】
その後、ＣＰＵ２０は、ユーザにデジタル放送を視聴させている際などに、番組おすすめキーワードデータベースに登録されているキーワードに関連する番組の番組情報をＥＰＧデータより取得する。そして、ＣＰＵ２０は、取得した番組情報をおすすめの番組として、例えばディスプレイ３５に表示させることにより、ユーザに通知する。
【０１０２】
このように、テレビジョン受像機１１は、オプション画面７０において、ユーザにリモコンＲＭを介して番組おすすめキーワード登録メニュー７１を選択決定させるという操作をさせるだけで、再生中の楽曲のアーティスト名を番組おすすめキーワードとして登録することができる。したがって、テレビジョン受像機１１は、オプション画面７０の表示時に、ユーザに簡易な操作を行わせるだけで、再生中の楽曲のアーティスト名を番組おすすめキーワードとして登録することができる。
【０１０３】
以上のように、テレビジョン受像機１１は、任意の楽曲の再生が指示されると表示させる楽曲情報表示画面４０の表示時に、ユーザに簡易な操作を行わせるだけで、再生中の楽曲に関する情報を用いて、ユーザに様々な機能を利用させることができる。
【０１０４】
［１−４．動作処理手順］
次に、テレビジョン受像機１１が、リモコンＲＭの操作を介して任意の楽曲の再生が指示された際に、その楽曲の楽曲データを再生し、その楽曲に関する情報を表示する処理の手順（これを動作処理手順ＲＴ１とも呼ぶ）を図８のフローチャートを用いて説明する。この動作処理手順ＲＴ１は、テレビジョン受像機１１のＣＰＵ２０が、メモリ２２又はＨＤＤ２３から読み出したプログラムに従って実行する処理の手順である。
【０１０５】
テレビジョン受像機１１のＣＰＵ２０は、リモコンＲＭの操作を介して、任意の楽曲の再生が指示されると、動作処理手順ＲＴ１を開始する。
【０１０６】
ステップＳＰ１において、ＣＰＵ２０は、ＤＬＮＡサーバ１２、メモリカード１３、マルチカードリーダ１４、インターネット１５上の楽曲提供サーバのいずれかから取得した当該楽曲の楽曲データを再生して、ステップＳＰ２に移る。
【０１０７】
ステップＳＰ２において、ＣＰＵ２０は、当該楽曲データから楽曲対応情報を取得して、ステップＳＰ３に移る。楽曲対応情報には、ジャケット写真、アーティスト名、曲名、アルバム名が含まれる。
【０１０８】
ステップＳＰ３において、ＣＰＵ２０は、楽曲対応情報としてのアーティスト名を検索条件としてメモリ２２又はＨＤＤ２３に記憶されているＥＰＧデータに含まれる番組情報を検索する。この検索の結果、ＣＰＵ２０は、そのアーティストに関連する番組の番組情報を楽曲関連情報として取得して、ステップＳＰ４に移る。
【０１０９】
ステップＳＰ４において、ＣＰＵ２０は、百科事典提供サーバ１６に、楽曲対応情報としてのアーティスト名を、ネットワークＩ／Ｆ３６を介して送信する。こうすることで、ＣＰＵ２０は、百科事典提供サーバ１６に、送信したアーティスト名を検索条件としてプロフィール情報を検索させる。そして、ＣＰＵ２０は、ネットワークＩ／Ｆ３６を介して、百科事典提供サーバ１６より、この検索の結果得られたプロフィール情報を楽曲関連情報として取得して、ステップＳＰ５に移る。
【０１１０】
ステップＳＰ５において、ＣＰＵ２０は、画像検索サーバ１７に、楽曲対応情報としてのアーティスト名を、ネットワークＩ／Ｆ３６を介して送信する。こうすることで、ＣＰＵ２０は、画像検索サーバ１７に、送信したアーティスト名を検索条件としてアーティスト画像情報を検索させる。そして、ＣＰＵ２０は、ネットワークＩ／Ｆ３６を介して、画像検索サーバ１７より、この検索の結果得られたアーティスト画像情報を楽曲関連情報として取得して、ステップＳＰ６に移る。
【０１１１】
ステップＳＰ６において、ＣＰＵ２０は、歌詞提供サーバ１８に、楽曲対応情報としてのアーティスト名及び曲名を、ネットワークＩ／Ｆ３６を介して送信する。こうすることで、ＣＰＵ２０は、歌詞提供サーバ１８に、送信したアーティスト名及び曲名を検索条件として歌詞情報を検索させる。そして、ＣＰＵ２０は、ネットワークＩ／Ｆ３６を介して、歌詞提供サーバ１８より、この検索の結果得られた歌詞情報を楽曲関連情報として取得して、ステップＳＰ７に移る。
【０１１２】
ステップＳＰ７において、ＣＰＵ２０は、楽曲販売サーバ１９に、楽曲対応情報としてのアーティスト名及び曲名を、ネットワークＩ／Ｆ３６を介して送信する。こうすることで、ＣＰＵ２０は、楽曲販売サーバ１９に、送信したアーティスト名及び曲名を検索条件として推薦楽曲画像情報を検索させる。そして、ＣＰＵ２０は、ネットワークＩ／Ｆ３６を介して、楽曲販売サーバ１９より、この検索の結果得られた推薦楽曲画像情報を楽曲関連情報として取得して、ステップＳＰ８に移る。
【０１１３】
ステップＳＰ８において、ＣＰＵ２０は、楽曲対応情報及び楽曲関連情報を用いて、楽曲情報表示画面４０を生成する。そして、ＣＰＵ２０は、この楽曲情報表示画面４０をディスプレイ３５に表示して、ステップＳＰ９に移る。
【０１１４】
この結果、テレビジョン受像機１１は、リモコンＲＭの操作を介して再生が指示された楽曲の楽曲データの再生と共に、その楽曲に関する情報である楽曲対応情報及び楽曲関連情報をディスプレイ３５に表示させる。
【０１１５】
ステップＳＰ９において、ＣＰＵ２０は、楽曲情報表示画面４０を介して表示された番組詳細情報表示画面６０において、リモコンＲＭの操作を介して視聴予約ボタン６１又は録画予約ボタン６２が操作され、視聴予約又は録画予約が指示されたかどうかを判別する。
【０１１６】
ここで、視聴予約又は録画予約が指示されたことにより、ステップＳＰ９において、肯定結果を得ると、ＣＰＵ２０は、ステップＳＰ１０に移る。
【０１１７】
ステップＳＰ１０において、ＣＰＵ２０は、番組詳細情報表示画面６０に表示されている番組の視聴予約又は録画予約を実行して、ステップＳＰ１１に移る。
【０１１８】
一方、視聴予約又は録画予約が指示されないことにより、ステップＳＰ９において、否定結果を得ると、ＣＰＵ２０は、視聴予約又は録画予約を実行せずにステップＳＰ１１に移る。
【０１１９】
ステップＳＰ１１において、ＣＰＵ２０は、楽曲情報表示画面４０を介して表示されたオプション画面７０において、リモコンＲＭの操作を介して番組おすすめキーワード登録メニュー７１が操作され、番組おすすめキーワード登録が指示されたかどうかを判別する。
【０１２０】
ここで、リモコンＲＭの操作を介して番組おすすめキーワード登録が指示されたことにより、ステップＳＰ１１において肯定結果を得ると、ＣＰＵ２０は、ステップＳＰ１２に移る。
【０１２１】
ステップＳＰ１２において、ＣＰＵ２０は、直前の楽曲情報表示画面４０のアーティスト名表示領域４３に表示されていたアーティスト名を番組おすすめキーワードとして登録する。そして、ＣＰＵ２０は、ステップＳＰ９に戻り、再び、リモコンＲＭの操作を介して視聴予約又は録画予約が指示されたかどうかを判別する。
【０１２２】
一方、リモコンＲＭの操作を介して番組おすすめキーワード登録が指示されないことにより、ステップＳＰ１１において否定結果を得ると、ＣＰＵ２０は、番組おすすめキーワード登録を実行せずにステップＳＰ９に戻る。そして、ＣＰＵ２０は、再び、リモコンＲＭの操作を介して視聴予約又は録画予約が指示されたかどうかを判別する。
【０１２３】
また、この動作処理手順ＲＴ１において、ＣＰＵ２０は、新たな楽曲の再生が指示されると、再び、ステップＳＰ１から新たな楽曲に対して処理を開始するようになされている。
【０１２４】
このような動作処理手順ＲＴ１に従って、ＣＰＵ２０は、リモコンＲＭの操作を介して再生が指示された楽曲の楽曲データの再生と共に、その楽曲に関する情報である楽曲対応情報及び楽曲関連情報を取得して、これらをディスプレイ３５に表示させる。
【０１２５】
［１−５．動作及び効果］
以上の構成において、テレビジョン受像機１１は、リモコンＲＭの操作を介して、任意の楽曲の再生が指示されると、当該楽曲の楽曲データの再生を行うと共に、当該楽曲データに付加されている楽曲対応情報を取得する。
【０１２６】
そして、テレビジョン受像機１１は、あらかじめ取得されたＥＰＧデータの番組情報から楽曲対応情報としてのアーティスト名を検索条件として、当該楽曲のアーティストに関連する番組の番組情報を検索し、検索の結果得られた番組情報を楽曲関連情報として取得する。
【０１２７】
また、テレビジョン受像機１１は、インターネット１５上の百科事典提供サーバ１６に楽曲対応情報としてのアーティスト名を送信する。こうすることで、テレビジョン受像機１１は、当該百科事典提供サーバ１６に、当該アーティスト名を検索条件として当該楽曲のアーティストのプロフィールに関するプロフィール情報を検索させる。そして、テレビジョン受像機１１は、この検索の結果得られたプロフィール情報を、当該百科事典提供サーバ１６より楽曲関連情報として取得する。
【０１２８】
さらに、テレビジョン受像機１１は、インターネット１５上の画像検索サーバ１７に楽曲対応情報としてのアーティスト名を送信する。こうすることで、テレビジョン受像機１１は、当該画像検索サーバ１７に、当該アーティスト名を検索条件として当該楽曲のアーティストに関するアーティスト画像情報を検索させる。そして、テレビジョン受像機１１は、この検索の結果得られたアーティスト画像情報を、当該画像検索サーバ１７より楽曲関連情報として取得する。
【０１２９】
さらに、テレビジョン受像機１１は、インターネット１５上の歌詞提供サーバ１８に楽曲対応情報としてのアーティスト名及び曲名を送信する。こうすることで、テレビジョン受像機１１は、当該歌詞提供サーバ１８に、当該アーティスト名及び曲名を検索条件として当該楽曲の歌詞情報を検索させる。そして、テレビジョン受像機１１は、この検索の結果得られた歌詞情報を、当該歌詞提供サーバ１８より楽曲関連情報として取得する。
【０１３０】
さらに、テレビジョン受像機１１は、インターネット１５上の楽曲販売サーバ１９に楽曲対応情報としてのアーティスト名及び曲名を送信する。こうすることで、テレビジョン受像機１１は、当該楽曲販売サーバ１９に、当該アーティスト名及び曲名を検索条件としてユーザに対して推薦する楽曲に関する推薦楽曲画像情報を検索させる。そして、テレビジョン受像機１１は、この検索の結果得られた推薦楽曲画像情報を、当該楽曲販売サーバ１９より楽曲関連情報として取得する。
【０１３１】
そして、テレビジョン受像機１１は、取得した楽曲対応情報と楽曲関連情報とを用いて楽曲情報表示画面４０を生成し、これをディスプレイ３５に表示させる。
【０１３２】
こうすることで、テレビジョン受像機１１は、楽曲データに直接対応付けられている楽曲に関する楽曲対応情報だけでなく、当該楽曲データに直接対応付けられてはいないが楽曲に関する楽曲関連情報も取得して表示させることができる。
【０１３３】
以上の構成によれば、テレビジョン受像機１１は、任意の楽曲の楽曲データに対応付けられている楽曲対応情報を取得する。そして、テレビジョン受像機１１は、ＥＰＧデータの番組情報及びインターネット１５上の情報から当該楽曲対応情報を検索条件として検索させた当該楽曲に関する情報を楽曲関連情報として取得する。そして、テレビジョン受像機１１は、当該楽曲対応情報と当該楽曲関連情報とを共にディスプレイ３５に表示させるようにした。
【０１３４】
こうすることにより、テレビジョン受像機１１は、当該楽曲データに直接対応付けられている当該楽曲に関する楽曲対応情報と共に、当該楽曲データに直接対応付けられてはいないが当該楽曲に関する楽曲関連情報も取得して表示させることができる。
【０１３５】
かくして、テレビジョン受像機１１は、当該楽曲に関する情報を一段と多くユーザに提供することができる。
【０１３６】
＜２．他の実施の形態＞
［２−１．他の実施の形態１］
尚、上述した実施の形態では、テレビジョン受像機１１のＣＰＵ２０は、ＭＰ３形式の楽曲データに付加されているＩＤ３タグから楽曲対応情報を取得するようにした。
【０１３７】
これに限らず、その他の形式の楽曲データであっても、その楽曲データに対応付けられている情報があるのであれば、その楽曲データに対応付けられている情報から楽曲対応情報を取得するようにしてもよい。例えば、ＬＰＣＭ（Linear Pulse Code Modulation）形式の楽曲データであっても、その楽曲データに対応付けられている情報があるのであれば、その楽曲データから楽曲対応情報を取得するようにしてもよい。
【０１３８】
［２−２．他の実施の形態２］
また上述した実施の形態では、テレビジョン受像機１１のＣＰＵ２０は、楽曲データから取得した楽曲対応情報としてのアーティスト名と曲名とを検索条件として検索させた楽曲関連情報を取得するようにした。
【０１３９】
これに限らず、楽曲データに対応付けられている楽曲対応情報であれば、その他種々の情報を検索条件として検索させた楽曲関連情報を取得するようにしてもよい。例えば、アルバム名や発売年、ジャンルなどを検索条件として検索させた楽曲関連情報を取得するようにしてもよい。
【０１４０】
［２−３．他の実施の形態３］
さらに上述した実施の形態では、テレビジョン受像機１１のＣＰＵ２０は、楽曲の再生が指示された際に、その楽曲に関する情報であるアーティスト画像情報及び推薦楽曲画像情報を取得し、それらに基づく画像をディスプレイ３５に表示させるようにした。
【０１４１】
これに限らず、テレビジョン受像機１１のＣＰＵ２０は、楽曲の再生が指示された際に表示させたその楽曲に関する情報に基づく画像が選択されると、インターネット１５上のサーバに接続し、その画像に関連するサイトを表示させるようにしてもよい。
【０１４２】
具体的に、ＣＰＵ２０は、例えば、楽曲販売サーバ１９から、再生が指示された楽曲に対する推薦楽曲のジャケット写真の画像である推薦楽曲画像情報と共に、推薦楽曲の販売サイトのアドレスを取得する。そして、ＣＰＵ２０は、ディスプレイ３５に表示させた推薦楽曲画像情報に基づくジャケット写真の画像に、推薦楽曲の販売サイトのアドレスを設定し、リモコンＲＭの操作を介してその画像が選択された際にそのサイトを表示させるようにしてもよい。
【０１４３】
また、ＣＰＵ２０は、例えば、画像検索サーバ１７から、再生が指示された楽曲のアーティストに関する画像のインターネット１５上のアドレスであるアーティスト画像情報と共に、その画像の掲載されているサイトのアドレスを取得する。そして、ＣＰＵ２０は、ディスプレイ３５に表示させたアーティスト画像情報に基づく画像に、その画像の掲載されているサイトのアドレスを設定し、リモコンＲＭの操作を介してその画像が選択された際にそのサイトを表示させるようにしてもよい。
【０１４４】
［２−４．他の実施の形態４］
さらに上述した実施の形態では、テレビジョン受像機１１のＣＰＵ２０は、楽曲対応情報を検索条件として、ＥＰＧデータに含まれている放送予定の番組情報を検索して、アーティストに関連する番組情報を取得するようにした。
【０１４５】
これに限らず、テレビジョン受像機１１のＣＰＵ２０は、放送された番組を録画する際にその番組の番組情報を合わせて記憶しておき、楽曲対応情報を検索条件として、録画された番組の番組情報を検索して、アーティストに関連する番組情報を取得するようにしてもよい。
【０１４６】
具体的に、ＣＰＵ２０は、受信したデジタル放送の番組の映像音声データをＨＤＤ２３に記憶することにより録画する際に、その番組のＥＰＧデータを合わせてＨＤＤ２３に記憶する。ＣＰＵ２０は、例えば、取得した楽曲対応情報の一部であるアーティスト名を検索条件としてＨＤＤ２３に記憶されている録画された番組のＥＰＧデータから、そのアーティストに関連する番組情報を検索する。
【０１４７】
このように、テレビジョン受像機１１は、楽曲のアーティストに関連するユーザが録画した番組の番組情報も取得して表示することにより、楽曲関連情報を一段と多くユーザに提供することができる。
【０１４８】
さらに上述した実施の形態では、テレビジョン受像機１１のＣＰＵ２０は、ネットワークＩ／Ｆ３６を介して、インターネット１５上の百科事典提供サーバ１６、画像検索サーバ１７、歌詞提供サーバ１８、楽曲販売サーバ１９に楽曲対応情報を送信し、これらのサーバから楽曲関連情報を取得するようにした。
【０１４９】
これに限らず、テレビジョン受像機１１のＣＰＵ２０は、ネットワークＩ／Ｆ３６を介して、インターネット１５上の種々のサーバに楽曲対応情報を送信するようにしてもよい。こうすることで、テレビジョン受像機１１のＣＰＵ２０は、当該サーバに楽曲対応情報を検索条件としてインターネット１５上の情報を検索させる。そして、テレビジョン受像機１１のＣＰＵ２０は、この検索の結果得られた楽曲関連情報を、ネットワークＩ／Ｆ３６を介して、当該サーバから取得するようにしてもよい。
【０１５０】
［２−５．他の実施の形態５］
さらに上述した実施の形態では、テレビジョン受像機１１のＣＰＵ２０は、アンテナ２５を介して受信したデジタル放送信号からＥＰＧデータを取得するようにした。これに限らず、テレビジョン受像機１１のＣＰＵ２０は、インターネット１５上のＥＰＧデータを提供するサーバ（図示せず）からネットワークＩ／Ｆ３６を介してＥＰＧデータを取得するようにしてもよい。
【０１５１】
［２−６．他の実施の形態６］
さらに上述した実施の形態では、テレビジョン受像機１１のＣＰＵ２０は、取得した楽曲関連情報である番組情報、プロフィール情報、アーティスト画像情報、歌詞情報、推薦楽曲画像情報を、楽曲情報表示画面４０（図４）のように、それぞれ定められた領域に表示させるようにした。
【０１５２】
これに限らず、テレビジョン受像機１１のＣＰＵ２０は、上述した情報の中で取得できない情報がある場合に、取得できない情報の表示領域に別の情報を表示させるようにしてもよい。例えば、テレビジョン受像機１１のＣＰＵ２０は、アーティストのプロフィール情報が取得できなかった場合に、楽曲情報表示画面４０のプロフィール表示領域４６にアーティスト画像表示領域４７に表示しきれない画像を表示させるようにしてもよい。
【０１５３】
また、これに限らず、テレビジョン受像機１１のＣＰＵ２０は、取得した楽曲関連情報をその他種々の配置及び大きさ及び形で表示させるようにしてもよい。
【０１５４】
［２−７．他の実施の形態７］
さらに上述した実施の形態では、テレビジョン受像機１１のＣＰＵ２０は、番組おすすめキーワード登録メニュー７１がリモコンＲＭの操作を介して選択決定された際に、楽曲情報表示画面４０に表示されていたアーティスト名を番組おすすめキーワードとして登録するようにした。
【０１５５】
これに限らず、テレビジョン受像機１１のＣＰＵ２０は、その他種々のキーワードを番組おすすめキーワードとして登録するようにしてもよい。
【０１５６】
この場合、オプション画面７０に番組おすすめキーワード登録キーボードメニュー（図示せず）を設ける。テレビジョン受像機１１のＣＰＵ２０は、リモコンＲＭの操作により当該メニューが選択決定されると、図９に示す番組おすすめキーワード登録キーボード画面９０を表示させる。そして、テレビジョン受像機１１のＣＰＵ２０は、リモコンＲＭの操作を介して入力されたキーワードを番組おすすめキーワードとして登録する。
【０１５７】
こうすることにより、テレビジョン受像機１１は、オプション画面７０の表示時に、番組おすすめキーワードとして、楽曲情報表示画面４０に表示されていたアーティスト名を登録するか、もしくはその他のキーワードを登録するかをユーザに選択させることができる。
【０１５８】
［２−８．他の実施の形態８］
さらに上述した実施の形態では、テレビジョン受像機１１のＣＰＵ２０は、任意の楽曲の再生が指示された際に、その楽曲に関する情報である楽曲対応情報と楽曲関連情報とを取得して表示させるようにした。これに限らず、テレビジョン受像機１１のＣＰＵ２０は、例えば、リモコンＲＭの操作を介して任意の楽曲が選択されたときなど、この他種々のタイミングで楽曲対応情報と楽曲関連情報とを取得して表示させるようにしてもよい。
【０１５９】
［２−９．他の実施の形態９］
さらに上述した実施の形態では、楽曲に関する情報を取得して表示する際に本発明を適用するようにした。これに限らず、例えば、ＤＶＤ（Digital Versatile Disc）などの記録媒体に記録されている映像に関する情報を取得して表示する際など、種々のコンテンツに関する情報を取得して表示する際に本発明を適用するようにしてもよい。
【０１６０】
［２−１０．他の実施の形態１０］
さらに上述した実施の形態では、テレビジョン受像機１１のＣＰＵ２０は、動作処理手順ＲＴ１において、番組情報、プロフィール情報、アーティスト画像情報、歌詞情報、推薦楽曲画像情報の順で楽曲関連情報を取得するようにした。この順番に限らず、この他種々の順番で取得するようにしてもよい。
【０１６１】
さらに上述した実施の形態では、テレビジョン受像機１１のＣＰＵ２０は、動作処理手順ＲＴ１において、楽曲データの再生を行った後に、楽曲対応情報と楽曲関連情報とを取得し、楽曲情報表示画面４０を表示させるようにした。これに限らず、テレビジョン受像機１１は、楽曲対応情報と楽曲関連情報とを取得し、楽曲情報表示画面４０を表示させた後に楽曲データの再生を行うようにしてもよい。
【０１６２】
［２−１１．他の実施の形態１１］
さらに上述した実施の形態では、テレビジョン受像機１１の動作処理を実行するためのプログラムをテレビジョン受像機１１のメモリ２２又はＨＤＤ２３に記憶しておくようにした。
【０１６３】
これに限らず、このプログラムをメモリカードやＤＶＤなどの所定の記録媒体に記録しておき、テレビジョン受像機１１のＣＰＵ２０がこのプログラムを記録媒体から読み出して実行するようにしてもよい。また、このプログラムをインターネット１５上の所定のサーバからダウンロードしてメモリ２２又はＨＤＤ２３にインストールしてもよい。
【０１６４】
［２−１２．他の実施の形態１２］
さらに上述した実施の形態では、情報処理装置としてのテレビジョン受像機１１に、コンテンツ対応情報取得部、コンテンツ関連情報取得部、表示制御部、番組情報検索部としてのＣＰＵ２０を設けるようにした。また、テレビジョン受像機１１に、コンテンツ関連情報取得部、番組情報取得部としてのネットワークＩ／Ｆ３６を設けるようにした。さらに、テレビジョン受像機１１に、表示部としてのディスプレイ３５と、番組情報取得部としてのアンテナ２５、チューナ２６、デスクランブラ２７、デマルチプレクサ２８と、再生部としてのＡｕｄｉｏデコーダ２９とを設けるようにした。さらに、検索部としてのインターネット１５上のサーバとして、百科事典提供サーバ１６、画像検索サーバ１７、歌詞提供サーバ１８、楽曲販売サーバ１９を設けるようにした。
【０１６５】
これに限らず、同様の機能を有するのであれば、上述したテレビジョン受像機１１の各機能部を、他の種々のハードウェア又はソフトウェアにより構成するようにしてもよい。例えば、コンテンツ対応情報取得部及びコンテンツ関連情報取得部及び表示制御部及び番組情報検索部のそれぞれを個別のハードウェアで実現するようにしてもよい。
【０１６６】
また、これに限らず、同様の機能を有する情報処理装置であれば、パーソナルコンピュータや携帯型電話機など、この他種々の情報処理装置に本発明を適用するようにしてもよい。
【０１６７】
また、これに限らず、同様の機能を有するインターネット１５上のサーバであれば、この他種々のサーバを本発明に用いるようにしてもよい。
【０１６８】
［２−１３．他の実施の形態１３］
さらに、本発明は、上述した実施の形態とここまで説明した他の実施の形態１乃至１２とに限定されるものではない。すなわち本発明は、上述した実施の形態とここまで説明した他の実施の形態１乃至１２の一部または全部を任意に組み合わせた形態、もしくは一部を抽出した形態も適用範囲とする。
【０１６９】
例えば、他の実施の形態８と９を組み合わせるようにしてもよい。こうすれば、任意の映像が選択された際に、その映像に関する情報を取得して表示することができる。
【産業上の利用可能性】
【０１７０】
本発明は、例えば、楽曲再生機能を有するテレビジョン受像機で広く利用することができる。
【図面の簡単な説明】
【０１７１】
【図１】従来の楽曲情報表示画面を示す略線図である。
【図２】楽曲再生システムの構成を示す略線図である。
【図３】テレビジョン受像機の内部構成を示すブロック図である。
【図４】楽曲情報表示画面を示す略線図である。
【図５】番組詳細情報表示画面を示す略線図である。
【図６】オプション画面を示す略線図である。
【図７】番組おすすめキーワード登録完了画面を示す略線図である。
【図８】動作処理手順を示すフローチャートである。
【図９】番組おすすめキーワード登録キーボード画面を示す略線図である。
【符号の説明】
【０１７２】
１１……テレビジョン受像機、１５……インターネット、１６……百科事典提供サーバ、１７……画像検索サーバ、１８……歌詞提供サーバ、１９……楽曲販売サーバ、２０……ＣＰＵ、２２……メモリ、２３……ＨＤＤ、２５……アンテナ、２６……チューナ、２７……デスクランブラ、２８……デマルチプレクサ、２９……Ａｕｄｉｏデコーダ、３５……ディスプレイ、３６……ネットワークＩ／Ｆ、４０……楽曲情報表示画面、４１……ジャケット写真表示領域、４２……曲名表示領域、４３……アーティスト名表示領域、４４……アルバム名表示領域、４６……プロフィール表示領域、４７……アーティスト画像表示領域、４８……推薦楽曲画像表示領域、４９……歌詞表示領域、５０……番組情報表示領域。
【図１】
2010113593.tif 000003
【図２】
2010113593.tif 000004
【図３】
2010113593.tif 000005
【図４】
2010113593.tif 000006
【図５】
2010113593.tif 000007
【図６】
2010113593.tif 000008
【図７】
2010113593.tif 000009
【図８】
2010113593.tif 000010
【図９】
2010113593.tif 000011